(57)【要約】【課題】  片面２層構造の光ディスクにおいて、情報記録領域全体に渡って安定した情報の記録及び／又は再生を行う。【解決手段】  記録層を含む情報部を複数備えた光記録媒体であって、少なくとも一つの情報部は、プリフォーマット領域と、情報記録領域と、該プリフォーマット領域と該情報記録領域との間に位置する遷移領域とを有し、該遷移領域の平均反射率が該情報記録領域の未記録部分の平均反射率の約０．７〜１，３倍の値となる光記録媒体を提供する。【選択図】  図６
2007018610.tif 000002
【特許請求の範囲】
【請求項１】
記録層を含む情報部を複数備えた光記録媒体であって、
少なくとも一つの情報部は、プリフォーマット領域と、情報記録領域と、該プリフォーマット領域と該情報記録領域との間に位置する遷移領域とを有し、
該遷移領域の平均反射率が、該情報記録領域の未記録部分の平均反射率の０．７〜１，３倍の値であることを特徴とする光記録媒体。
【請求項２】
上記情報記録領域及び上記遷移領域にはそれぞれ所定の凹凸パターンが形成されており、上記遷移領域に形成された凹凸パターンと上記情報記録領域に形成された凹凸パターンが異なることを特徴とする請求項１に記載の光記録媒体。
【請求項３】
上記遷移領域に形成された凹凸パターンが溝を含んでおり、上記遷移領域に形成された凹凸パターンの繰返し単位が上記情報記録領域に形成された凹凸パターンの繰返し単位より小さいことを特徴とする請求項２に記載の光記録媒体。
【請求項４】
上記遷移領域に形成された凹凸パターンがピットを含んでおり、上記遷移領域に形成された凹凸パターンの繰返し単位が上記情報記録領域に形成された凹凸パターンの繰返し単位より小さいことを特徴とする請求項２に記載の光記録媒体。
【請求項５】
上記遷移領域に形成された凹凸パターンの繰返し単位が、上記光記録媒体に情報を記録再生する際に用いる光ビームのスポット径より小さいことを特徴とする請求項２〜４のいずれか一項に記載の光記録媒体。
【請求項６】
記録層を含む情報部を複数備えた光記録媒体であって、
少なくとも一つの情報部は、プリフォーマット領域と、情報記録領域と、該プリフォーマット領域と該情報記録領域との間に位置する遷移領域とを有し、
該情報部の一部が鏡面で形成されており、該遷移領域の平均反射率が、該情報部の鏡面部分の反射率より低いことを特徴とする光記録媒体。
【発明の詳細な説明】
【技術分野】
【０００１】
本発明は光記録媒体に関し、より詳細には、記録層を複数備えた構造を有し、大容量の情報が記録可能な光記録媒体に関する。
【背景技術】
【０００２】
光ディスクの分野では、情報の高密度化に伴いトラックフォーマットの構造が複雑になり、データ記録部のみならずドライブで駆動するための管理情報領域に対しても異なるフォーマットを採用する例が増えている。光ディスクは、一般に、内周側に管理情報を含んだ管理情報領域（以下、プリフォーマット領域ともいう）を備え、その外側にユーザー情報を含んだ情報記録領域を備えた構造を有する。この構造は、ＤＶＤ−ＲＡＭのようにディスクの内周側から情報を記録するタイプの光ディスクでは一般的である。また、ディスクの外周側から情報を記録する光ディスクの場合は、外周側にプリフォーマット領域が形成される。内周側及び外周側双方にコントロールトラック領域と呼ばれる、管理情報が記録される領域を設けている光ディスクもある。
【０００３】
光ディスクのプリフォーマット領域及び情報記録領域に形成される情報トラックのフォーマットは、光ディスクの種類により異なり、例えば、追記及び書き換え可能な光ディスクであるＣＤ−Ｒ及びＣＤ−ＲＷに形成されている情報トラックは、蛇行溝のみで構成されているためピットを形成する必要がなく、生産性に優れたトラックフォーマットを有する。
【０００４】
一方、ＣＤ−Ｒ及びＣＤ−ＲＷよりさらに高記録密度化を図った光ディスクである追記及び書き換え可能なＤＶＤ―Ｒ、ＤＶＤ−ＲＷ及びＤＶＤ−ＲＡＭでは、その品種が多様であり、複雑なトラックフォーマットが採用されている。例えば、ＤＶＤ−Ｒ及びＤＶＤ−ＲＷでは蛇行溝間に記録時に同期をとるためのランドプリピット（ＬＰＰ）が形成されており、ＤＶＤ−ＲＡＭではランドとグルーブの境界の延長線上のミラー領域に物理ＩＤピットが設けられている。
【０００５】
これらの光ディスクでは、情報記録領域のトラックフォーマットは、再生専用、追記型あるいは書き換え可能型の種類により異なるが、プリフォーマット領域のフォーマットは各種光ディスク間で共通化して相互の互換性を確保するために、そのトラックフォーマットを工夫する必要がある。
【０００６】
例えば、ＤＶＤ−ＲＯＭ、ＤＶＤ−ＲＡＭ、ＤＶＤ−Ｒ及びＤＶＤ−ＲＷの光ディスク間では、プリフォーマット領域のトラックフォーマットを統一して互換性に配慮した構成にする場合がある。これらの各光ディスクの情報記録領域の記録形態は、光ディスクの種類により異なり、プリピットマーク、グルーブを有する記録トラック或いはグルーブ間のランド領域を蛇行させ且つランド上にプリエンボスマークを形成するなどの様々なフォーマットで形成される。一方、各種光ディスク間で共通化されるプリフォーマット領域のトラックフォーマットの選定は、これまで、再生専用のＤＶＤ−ＲＯＭ媒体を中心にして行われてきた。それゆえ、ＤＶＤ−ＲＡＭ、ＤＶＤ−Ｒ及びＤＶＤ−ＲＷのプリフォーマット領域のフォーマットに対して、ＤＶＤ−ＲＯＭフォーマットを踏襲することになっている。すなわち、ＤＶＤ−ＲＡＭ、ＤＶＤ−Ｒ及びＤＶＤ−ＲＷのプリフォーマット領域は、ＤＶＤ−ＲＯＭと同じプリピット方式で形成される。
【０００７】
また、上述した光ディスク以外では、例えば、ＰＲＯＭ（Ｐｒｏｇｒａｍａｂｌｅ  ＲＯＭ）のように、プリフォーマット領域と情報記録領域の間に遷移領域を設けた光ディスクがある（例えば、特許文献１参照）。ＰＲＯＭは一度だけ書換えができるＲＯＭであり、ＰＲＯＭでは、プリフォーマット領域と情報記録領域の間に位置する遷移領域は鏡面部（凹凸パターンなし）で形成されている。
【０００８】
【特許文献１】特開２０００−２５６８８９号公報
【発明の開示】
【発明が解決しようとする課題】
【０００９】
ところで、赤色レーザで情報の記録再生が可能な従来のＤＶＤなどでは、記録層を２層構造（デュアル構造）にすることにより情報の大容量化が図られている。また、現在開発が進められているＨＤ−ＤＶＤのような青色レーザで情報の記録再生が可能な光記録媒体においてもより高密度記録が可能になるので、一層の大容量化を図ることができる。そして、当然ながら、ＨＤ−ＤＶＤを従来のＤＶＤ同様、２層構造にすることによりさらなる大容量化を図ることが可能になる。このような記録層が２層構造の光記録媒体では、光記録媒体のフォーマット構造を最適化することが求められている。
【００１０】
本発明の目的は、主に、記録層が２層構造である光記録媒体において、データフォーマットを最適化し、より安定に情報の記録及び／又は再生が可能な光記録媒体を提供することである。
【課題を解決するための手段】
【００１１】
本発明の第１の態様に従えば、記録層を含む情報部を複数備えた光記録媒体であって、少なくとも一つの情報部は、プリフォーマット領域と、情報記録領域と、該プリフォーマット領域と該情報記録領域との間に位置する遷移領域とを有し、該遷移領域の平均反射率が、該情報記録領域の未記録部分の平均反射率の０．７〜１，３倍の値であることを特徴とする光記録媒体が提供される。
【００１２】
上述したＨＤ−ＤＶＤのトラックフォーマットでは、今のところ、ＰＲＯＭのようにプリフォーマット領域と情報記録領域との間に位置する遷移領域は鏡面部で形成されている。このように遷移領域が鏡面部で形成されているような光記録媒体で、光ヘッドがプリフォーマット領域から情報記録領域に移動すると、遷移領域が鏡面部であるので、遷移領域を通過する際に反射光強度が急激に変動する。その様子を表わしたのが図８である。図８（ａ）は、情報の記録再生時におけるレーザ光の走査方向に直交する方向の遷移領域２付近の光記録媒体の概略断面図であり、図８（ｂ）は、光ヘッドをプリフォーマット領域１から情報記録領域３に移動させた際に得られる遷移領域２付近の反射光強度の変化を表わしている。なお、図８（ａ）中の凹凸パターンは基板上に形成された凹凸パターンを概略的に示したものであり、図８（ａ）では基板上に形成されている記録層や反射層等の積層膜は省略している。このような光記録媒体の基板のプリフォーマット領域１及び情報記録領域３には、それぞれ所定形状の凹凸パターンが形成されており、一般には、プリフォーマット領域１にはピット列が形成され、情報記録領域にはグルーブが形成されている。
【００１３】
図８に示すような光記録媒体において、光ヘッドがプリフォーマット領域１から情報記録領域３に移動すると、遷移領域２が鏡面部であるので、遷移領域２を通過する際に、図８（ｂ）に示すように、反射光強度が急激に増大する。このように反射光強度に急激な変動が発生すると、その変動に伴い、再生信号のベースラインも変動する。特に、遷移領域２に近接する情報記録領域３の領域では再生時に再生信号が変動するとジッターが増大し、情報再生にエラーを生じさせる原因となる。また、光ヘッドが遷移領域２を通過する際、レーザ光をフォーカスするために検出する反射光強度も同様に変動する。その結果、レーザ光のフォーカス信号なども変動し、焦点位置制御などが不安定になり、場合によっては焦点制御がはずれてしまうおそれもある。このように光ヘッドが遷移領域２を通過する際に焦点位置制御などが不安定となると、所定の記録再生プロセスを円滑に行うことができず、スタンバイに時間がかかってしまうという問題が生じる。
【００１４】
本発明者らは、図８に示すようなフォーマット構造を有する光記録媒体を片面２層構造にした場合、上記問題のうち、特に、情報の記録再生の不安定性の問題が顕著になることを見出した。ここでは、例えば、図９に示すように、同じフォーマット構造の２つの情報部（図９中のＬ０層とＬ１層）を貼りあわせて作製した片面２層構造の光記録媒体に情報を記録及び／又は再生を行う場合について説明する。なお、Ｌ０層とＬ１層とは数十μｍの厚さのスペーサ層（不図示）を介して貼り合わされているものとする。また、図９に示す片面２層構造の光記録媒体では、レーザ光は光記録媒体のＬ０層側から照射され、Ｌ０層及びＬ１層でそれぞれ独立に情報の記録及び／又は再生が可能である。また、図９中のＬ０層及びＬ１層の凹凸パターンはＬ０層及びＬ１層の各基板上に形成された凹凸パターンを概略的に示したものであり、図９では各基板上に形成されている記録層や反射層等の積層膜は省略している。なお、２層構造の光記録媒体では、Ｌ０層及びＬ１層に同じフォーマットを用いても、両層の偏心が異なるなどの影響により、両層のプリフォーマット領域、遷移領域及び情報記録領域等のフォーマット位置を正確に一致させることは困難であり、通常は、図９に示すように、Ｌ１層の情報記録領域３がＬ０層の遷移領域２上に重なる場合がある。
【００１５】
まず、レーザ光を、図９に示すように、レーザ光入射側から遠い位置に位置する光記録媒体の情報部の記録層、すなわち、Ｌ１層の記録層にレーザ光を集光して情報記録を行う場合を考える。なお、このときＬ０層はある程度の反射率を有するため、Ｌ０層での損失を補正してＬ１層に情報記録を行うために充分なレーザ光を照射する。この際、Ｌ０層の遷移領域２から十分離れたＬ１層の情報記録領域Ｂでは、図９に示すように、レーザ光が通過するＬ０層の領域の凹凸パターンは同じ（反射率がほぼ均一）であるので、Ｌ０層を透過してＬ１層の情報記録領域Ｂに到達するレーザ光の強度分布も均一となり、情報の記録再生に大きな影響は与えない。
【００１６】
しかしながら、Ｌ０層の遷移領域２の近傍に位置するＬ１層の情報記録領域Ａに情報を記録するために、情報記録領域Ａにレーザ光を照射すると、図９に示すように、Ｌ０層を通過するレーザ光の少なくとも一部はＬ０層の遷移領域２を通過することになる。この場合、図８（ｂ）に示すように、遷移領域２の反射率は情報記録領域３の反射率より大きくなるので、Ｌ０層の遷移領域２を通過してＬ１層の情報記録領域Ａに到達するレーザ光のエネルギー量は、Ｌ０層の情報記録領域３のみを通過してＬ１層の情報記録領域Ｂに到達するレーザ光のエネルギー量より小さくなる。すなわち、Ｌ１層の情報記録領域Ａにレーザ光を照射した場合、Ｌ１層の情報記録領域Ａに到達するレーザ光のエネルギー量がＬ１層の情報記録領域Ｂに到達するレーザ光のエネルギー量に対して変動する。その結果、Ｌ１層の情報記録領域Ａでは所定形状の記録マークが形成し難くなる。また、Ｌ１層の情報記録領域Ａに記録され情報を再生する際も、Ｌ０層を透過してＬ１層に到達するレーザ光のエネルギー量が変動するので、再生信号が変動して情報再生が不安定となり、エラーが生じ易くなる。
【００１７】
次に、レーザ光を、図１０に示すように、レーザ光入射側に近い位置に位置する光記録媒体の記録層、すなわち、Ｌ０層の記録層にレーザ光を照射して情報の記録再生を行う場合を考える。この場合、Ｌ０層に照射されたレーザ光の一部は、Ｌ０層を通過してＬ１層に到達し反射する（図１０中の一点鎖線）。Ｌ１層の遷移領域２から十分離れたＬ０層の情報記録領域Ｂでは、図１０に示すように、Ｌ０層を通過したレーザ光はＬ１層の凹凸パターンが同じ（反射率がほぼ均一）領域で反射するので、Ｌ１層からＬ０層の情報記録領域Ｂに反射するレーザ光の強度もほぼ均一となる。それゆえ、Ｌ０層の情報記録領域Ｂの照射されるレーザ光の強度分布がほぼ均一となり、情報の記録再生に大きな影響は与えない。
【００１８】
しかしながら、Ｌ１層の遷移領域２の近傍に位置するＬ０層の情報記録領域Ａでは、図１０に示すように、Ｌ０層を通過したレーザ光の一部はＬ１層の遷移領域２で反射してＬ０層の情報記録領域Ａに戻ってくる。この場合、Ｌ０層の遷移領域２の反射率は情報記録領域３の反射率より大きくなるので、Ｌ１層の遷移領域２からＬ０層の情報記録領域Ａに戻ってくる反射光のエネルギー量は、Ｌ１層の情報記録領域３のみからＬ０層の情報記録領域Ｂに戻ってくる反射光のエネルギー量より大きくなる。すなわち、Ｌ０層の情報記録領域Ａにレーザ光を照射した場合、Ｌ１層からＬ０層の情報記録領域Ａに戻ってくる反射光のエネルギー量が、Ｌ１層からＬ０層の情報記録領域Ｂに戻ってくる反射光のエネルギー量に対して変動する。その結果、Ｌ０層の情報記録領域Ａに所定形状の記録マークが形成し難くなる。また、Ｌ１層の遷移領域２の近傍に位置するＬ０層の情報記録領域Ａに記録された情報を再生する際も、Ｌ１層から戻ってくる反射光のエネルギー量が変動するので、再生信号が変動して情報再生が不安定となり、エラーが生じ易くなる。
【００１９】
上述のように、遷移領域２が鏡面で形成されており、遷移領域２と情報記録領域３との間で反射率の変動が大きい情報部（Ｌ０層及びＬ１層）を２層構造にした場合、一方の層の遷移領域２近傍に位置する他方の層の情報記録領域３における情報の記録再生が一層不安定になる。この問題を解決するためには、レーザ光のパワーを照射位置により変える方法も考えられるが、通常、Ｌ０層とＬ１層は製造プロセス上、偏心や貼合わせ精度の問題により位置ずれが生じ、図９及び図１０に示すように、各層の各領域のフォーマット位置が正確に一致しないのが通常であり、また、必ずしも同心円のトラックを有する構造にはならないので、パワー補正による対応も困難である。
【００２０】
本発明は上記問題を解決するためになされたものであり、本発明の片面２層構造の光記録媒体では、遷移領域の平均反射率を光記録媒体の鏡面部における反射率よりも低くして、情報記録領域の未記録部分の平均反射率との差を小さくするような構造にする。具体的には、遷移領域の平均反射率が情報記録領域の未記録部分の平均反射率に対して約０．７〜１．３倍の値になるように構成する。これにより、遷移領域における反射率の急激な変動を抑制して、安定した記録再生プロセスが実現可能な片面２層構造の光記録媒体を提供する。
【００２１】
本発明の第１の態様に従う光記録媒体では、上記情報記録領域及び上記遷移領域にはそれぞれ所定の凹凸パターンが形成されており、上記遷移領域に形成された凹凸パターンと上記情報記録領域に形成された凹凸パターンが異なることが好ましい。
【００２２】
本発明の第１の態様に従う光記録媒体では、上記遷移領域に形成された凹凸パターンが溝を含んでおり、上記遷移領域に形成された凹凸パターンの繰返し単位が上記情報記録領域に形成された凹凸パターンの繰返し単位より小さいことが好ましい。
【００２３】
また、本発明の第１の態様に従う光記録媒体では、上記遷移領域に形成された凹凸パターンがピットを含んでおり、上記遷移領域に形成された凹凸パターンの繰返し単位が上記情報記録領域に形成された凹凸パターンの繰返し単位より小さいことが好ましい。
【００２４】
さらに、本発明の第１の態様に従う光記録媒体では、上記遷移領域に形成された凹凸パターンの繰返し単位が、上記光記録媒体に情報を記録再生する際に用いる光ビームのスポット径より小さいことが好ましい。
【００２５】
本発明の第１の態様に従う光記録媒体の少なくとも１つの情報部のプリフォーマット領域、遷移領域及び情報記録領域の凹凸パターンの具体例を図３及び４に示す。なお、図３及び４は、情報部に含まれる基板上に凹凸パターンを形成した例である。図３の例では、プリフォーマット領域１を所定形状のピット列１ａで形成し、情報記録領域３をグルーブ３ａで形成し、そして、遷移領域２には情報記録領域３に形成されたグルーブ３ａより繰返し単位（以下、ピッチともいう）の小さいグルーブ２ａ（溝）を形成する。なお、光ヘッドが遷移領域２から不要な信号を読み取らないようにするために、遷移領域２のグルーブ２ａのピッチは情報の記録再生時に照射されるレーザ光のスポット径より小さくなるように、すなわち、遷移領域２のグルーブ２ａを含む凹凸パターンを光ヘッドの光学分解能より微細なパターンで形成することが好ましい。
【００２６】
一方、図４の例では、プリフォーマット領域１を所定形状のピット列１ａで形成し、情報記録領域３をグルーブ３ａで形成し、そして、遷移領域２には情報記録領域３に形成されたグルーブ３ａよりピッチの小さいピット列２ｂを形成する。なお、光ヘッドが遷移領域２から不要な信号を読み取らないようにするために、レーザ光の走査方向における遷移領域２のピット列２ｂのピッチ及びレーザ光の走査方向に直交する方向におけるピット列２ｂのピッチのいずれか一方は、情報の記録再生時に照射されるレーザ光のスポット径より小さくなるように、すなわち、遷移領域２のピット列２ｂを含む凹凸パターンを光ヘッドの光学分解能より微細なパターンで形成することが好ましい。
【００２７】
なお、図３及び図４に示す光記録媒体のフォーマット構造では、プリフォーマット領域１は管理情報などをピット列として記録されている領域であり、情報記録領域３にはユーザー情報等が記録マークにより形成される領域である。また、情報記録領域３に形成されたグルーブ（溝）は、情報の記録再生時にレーザ光をトラッキングするためのグルーブである。なお、情報記録領域３にはアドレス情報などの付加情報を付与するためのプリピットが設けられていても良く、また、グルーブを蛇行させて付加情報を記録しても良い。
【００２８】
また、本発明の光記録媒体の遷移領域に形成される凹凸パターンは、図３や図４のような凹凸パターンに限定されない。遷移領域に設ける凹凸パターンは、光ヘッドにより分解再生され難い凹凸パターンであり、遷移領域の平均反射率が情報記録領域の未記録部分の平均反射率に対して約０．７〜１．３の値となるような凹凸パターンであれば任意の凹凸パターンを用い得る。例えば、ピット列は、図４に示すように単一形状の繰返しパターンに限らず、長さが異なるピットを含むピットパターンでも良いし、ピットとグルーブの複合パターンでも良い。また、それらのピットやグルーブはランダムに配列されていても良く、長短のパターンを千鳥配列しても良い。また、遷移領域を２種類以上のトラックピッチを有する凹凸パターンで形成してもよい。
【００２９】
また、遷移領域の反射率の調整は、遷移領域に形成される凹凸パターン（グルーブやピット）の半値幅を調整することにより行うことが好ましい。特に、遷移領域の凹凸パターンの半値幅は遷移領域の凹凸パターンのピッチの約０.５５倍から約０．７倍に設定することが好ましい。遷移領域の凹凸パターンの半値幅をこの範囲の値に設定することにより、当該遷移領域の平均反射率を容易に調整することができる。
【００３０】
なお、図３及び４では、情報部の基板上に凹凸パターンを形成した例について説明したが、本発明はこれに限定されない。例えば、次のようにして情報部に図３及び４に示すような凹凸パターンを形成しても良い。第１の情報部上に第２の情報部を形成する際に、まず、第１の情報部の表面に紫外線硬化樹脂を塗布する。次いで、紫外線硬化樹脂を所定の凹凸パターン（第２の情報部に形成する凹凸パターンとは逆の凹凸パターン）が表面に形成されたスタンパで押圧する。次いで、紫外線を照射して紫外線硬化樹脂を硬化してスタンパを剥離すると、第２の情報部の凹凸パターンが形成された紫外線硬化樹脂層を形成することができる。このような方法はフォトポリマー法（２Ｐ法）と呼ばれている方法であり、このような方法を用いても情報部に凹凸パターンを形成することができる。
【００３１】
本発明の光記録媒体では、遷移領域に図３や図４のような凹凸パターンを形成することにより、遷移領域の反射率は遷移領域が鏡面である場合より低くなり、情報記録領域と遷移領域との間で急激な反射率の変動を抑制することができる。その様子を示したのが、図５である。
【００３２】
図５（ａ）は、レーザ光の走査方向に直交する方向における遷移領域２付近の概略断面図であり、図５（ｂ）は、光ヘッドをプリフォーマット領域１から情報記録領域３に移動させた際に得られる遷移領域２付近の反射光強度の変化を表わしている。なお、図５（ａ）中の凹凸パターンは基板上に形成された凹凸パターンを概略的に示したものであり、図５（ａ）では基板上に形成されている記録層や反射層等の積層膜は省略している。本発明の光記録媒体の遷移領域２に、例えば、図３及び図４に示すような凹凸パターンを形成することにより、遷移領域２の反射率は、図５（ｂ）に示すように、遷移領域２が鏡面である場合（例えば、図８）より低くなる。この場合、図５（ｂ）に示すように、情報記録領域３の未記録部分の平均反射率と遷移領域２の平均反射率との差が小さくなり、遷移領域２と情報記録領域３との境界付近における反射光強度の急激な変動を抑制することができる。
【００３３】
また、遷移領域を図３や図４のような凹凸パターンで形成することにより、プリフォーマット領域の再生信号と、情報記録領域の再生信号とのクロストークを防止することが可能になる。さらに、遷移領域を図３や図４のような凹凸パターンで形成することにより、例えば、記録層に有機色素を用いた場合には、有機色素をスピンコートする際に、プリフォーマット領域で発生した塗布液の乱れを整えて記録層を均一に形成することが可能になるという効果もある。
【００３４】
図３または図４に示すようなフォーマット構成の光記録媒体を２枚貼り合せて作製した片面２層構造の光記録媒体における情報記録再生時の様子を示したのが、図６及び図７である。なお、図６及び図７中のＬ０層及びＬ１層の凹凸パターンはＬ０層及びＬ１層の各基板上に形成された凹凸パターンを概略的に示したものであり、図６及び図７では各基板上に形成されている記録層や反射層等の積層膜は省略している。また、Ｌ０層及びＬ１層に同じフォーマットを用いても、両層の偏心が異なるなどの影響により、両層のプリフォーマット領域、遷移領域及び情報記録領域等のフォーマット位置を正確に一致させることは困難であり、通常は、一方の層の情報記録領域が他方の層の遷移領域上に重なる場合が多い。それゆえ、図６及び図７では、一方の層の情報記録領域が他方の層の遷移領域上に重なった場合の様子を示している。
【００３５】
まず、レーザ光を、図６に示すように、レーザ光入射側から遠い位置に位置する光記録媒体の記録層、すなわち、Ｌ１層の記録層にレーザ光を集光して情報の記録再生を行う場合を考える。Ｌ０層の遷移領域２から十分離れたＬ１層の情報記録領域Ｂでは、図６に示すように、レーザ光が通過するＬ０層の情報記録領域３の凹凸パターンは同じ（反射率がほぼ均一）であるので、Ｌ０層を透過してＬ１層の情報記録領域Ｂに到達するレーザ光の強度分布も一定となる。それゆえ、Ｌ１層の情報記録領域Ｂにレーザ光を照射して情報の記録再生を行う場合には、安定して情報の記録再生を行うことができる。
【００３６】
一方、Ｌ０層の遷移領域２の近傍に位置するＬ１層の情報記録領域Ａでは、図６に示すように、Ｌ０層を通過するレーザ光の少なくとも一部はＬ０層の遷移領域２を通過する。しかしながら、本発明の光記録媒体では、Ｌ０層の遷移領域２の平均反射率と情報記録領域３の未記録部分の平均反射率との差がより小さくなるように、Ｌ０層の遷移領域２に所定形状の凹凸パターンが形成されているので、Ｌ０層の遷移領域２を通過してＬ１層の情報記録領域Ａに到達するレーザ光強度と、Ｌ０層の情報記録領域３を通過してＬ１層の情報記録領域Ｂに到達するレーザ光強度との差が小さくなる。すなわち、Ｌ１層の各情報記録領域に到達するレーザ光の強度分布がほぼ一定となる。その結果、Ｌ１層の各情報記録領域に到達するレーザ光のエネルギー変動が小さくなり、Ｌ１層の各情報記録領域に所定形状の記録マークが形成し易くなる。それゆえ、本発明の光記録媒体では、Ｌ０層の遷移領域２の近傍に位置するＬ１層の情報記録領域Ａに安定して情報を記録することができる。また、Ｌ１層の情報記録領域Ａに記録された情報を再生する際も、Ｌ１層の情報記録領域Ａに到達するレーザ光の強度がほぼ一定となり、再生信号の変動が抑制され情報再生がより安定する。
【００３７】
次に、レーザ光を、図７に示すように、レーザ光入射側に近い位置に位置する光記録媒体の記録層、すなわち、Ｌ０層の記録層にレーザ光を照射して情報の記録再生を行う場合を考える。この場合、Ｌ０層に照射されたレーザ光の一部は、Ｌ０層を通過してＬ１層に到達し反射する（図７中の一点鎖線）。Ｌ１層の遷移領域２から十分離れたＬ０層の情報記録領域Ｂを通過したレーザ光は、図７に示すように、Ｌ１層の凹凸パターンが同じ（反射率がほぼ均一）領域で反射するので、Ｌ１層からＬ０層の情報記録領域Ｂに反射するレーザ光の強度もほぼ一定となり、情報の記録再生に大きな影響は与えない。それゆえ、本発明の光記録媒体では、Ｌ０層の情報記録領域Ｂにレーザ光を照射して情報の記録再生を行う場合には、安定して情報の記録再生を行うことができる。
【００３８】
一方、Ｌ１層の遷移領域２の近傍に位置するＬ０層の情報記録領域Ａにレーザ光を照射した場合には、図７に示すように、Ｌ０層を通過したレーザ光の少なくとも一部はＬ１層の遷移領域２で反射してＬ０層の情報記録領域Ａに戻ってくる。しかしながら、本発明の光記録媒体では、Ｌ１層の遷移領域２の平均反射率と情報記録領域３の未記録部分の平均反射率との差が小さくなるように、Ｌ１層の遷移領域２に所定の凹凸パターンが形成されているので、Ｌ１層の遷移領域２からＬ０層の情報記録領域Ａに戻ってくる反射光のエネルギー量は、Ｌ１層の情報記録領域３からＬ０層の情報記録領域Ｂに戻ってくる反射光のエネルギー量とほぼ同じになる。すなわち、本発明の光記録媒体においてＬ０層の情報記録領域Ａにレーザ光を照射した場合、Ｌ１層からＬ０層の情報記録領域Ａに戻ってくる反射光の強度と、Ｌ１層からＬ０層の情報記録領域Ｂに戻ってくる反射光の強度がほぼ同じとなる。その結果、Ｌ１層の遷移領域２の近傍に位置するＬ０層の情報記録領域Ａに所定形状の記録マークを形成し易くなる。
【００３９】
また、Ｌ１層の遷移領域２の近傍に位置するＬ０層の情報記録領域Ａの情報を再生する際も、Ｌ０層の情報記録領域Ａを通過してＬ１層に到達するレーザ光の少なくとも一部は、Ｌ１層の遷移領域２で反射される。これらの反射光は、Ｌ０層の情報記録領域Ａからの反射光と重畳されて、再生信号として検出される。本発明の光記録媒体では、Ｌ１層の遷移領域２の平均反射率と情報記録領域３の未記録部分の平均反射率との差が小さくなるように、Ｌ１層の遷移領域２に所定の凹凸パターンが形成されているので、Ｌ１層の遷移領域２と情報記録領域３から反射される各反射光強度の差も小さくなり、検出される反射光強度の変動も小さくなる。それゆえ、本発明の光記録媒体では、図７に示すように、Ｌ１層の遷移領域２の近傍に位置するＬ０層の情報記録領域Ａにレーザ光を照射して情報再生を行っても、再生信号の変動が抑制され、安定した情報再生が可能となる。
【００４０】
本発明の第２の態様に従えば、記録層を含む情報部を複数備えた光記録媒体であって、少なくとも一つの情報部は、プリフォーマット領域と、情報記録領域と、該プリフォーマット領域と該情報記録領域との間に位置する遷移領域とを有し、該情報部の一部が鏡面で形成されており、該遷移領域の平均反射率が、該情報部の鏡面部分の反射率より低いことを特徴とする光記録媒体が提供される。
【発明の効果】
【００４１】
上述のように、本発明の２層構造の光記録媒体によれば、各層においてプリフォーマット領域と情報記録領域との間に位置する遷移領域に所定の凹凸パターンを形成して、遷移領域の平均反射率を鏡面部の反射率より低く（情報記録領域の未記録部分の平均反射率との差を小さく）することにより、情報記録領域と遷移領域との境界付近の反射率変動を抑制することができる。それゆえ、一方の層の遷移領域の近傍に位置する他方の情報記録領域にレーザ光を照射して情報を記録及び／又再生しても、レーザ光の記録強度及び再生信号の変動を抑制することができ、安定した情報の記録及び／又は再生を行うことができる。
【発明を実施するための最良の形態】
【００４２】
以下、本発明の光記録媒体の実施例を図面を参照しながら詳細に説明するが、本発明はこれに限定されない。
【実施例１】
【００４３】
この例で作製した光ディスク１０の概略断面図を図１に示した。この例で作製した光ディスク１０は、基板及び記録層を含む情報部を２つ（図１中のＬ０層及びＬ１層）備え、情報の記録再生時には光ディスクの片側（この例の光ディスクではＬ０側）からレーザ光が照射される、いわゆる片面２層構造の光ディスクである。
【００４４】
この例で作製した光ディスク１０は、図１に示すように、基板１１上に、記録層１２及び反射層１３を順次形成したＬ０層と、基板２１上に、反射層２２、記録層２３及び界面層２４を順次形成したＬ１層と、スペーサ層１４とからなり、Ｌ０層とＬ１層とは、スペーサ層１４を介して、Ｌ０層の反射層１３とＬ１層の界面層２４とが対向するように貼り合わされている。
【００４５】
また、実施例１で作製した光ディスクのＬ０層及びＬ１層の概略平面図を図２に示した。この例で作製した光ディスク１０では、Ｌ０層及びＬ１層ともに、図２に示すように、内周側からプリフォーマット領域１、遷移領域２及び情報記録領域３をこの順で同心円状に形成した。プリフォーマット領域１に対応する基板１１及び２１上には、図３に示すように、光ディスクの管理情報等がピット列１ａにより記録されており、情報記録領域３に対応する基板１１及び２１上には、所定形状のグルーブ３ａが形成されている。そして、プリフォーマット領域１と情報記録領域３との間に位置する遷移領域２に対応する基板１１及び２１上には、図３に示すように、情報記録領域３のグルーブ３ａよりトラックピッチの小さいグルーブ２ａが形成されている。なお、基板１１及び２１上に積層された各膜はプリフォーマット領域１、遷移領域２及び情報記録領域３に渡って覆うように形成した。
【００４６】
基板１１及び２１の形成材料としては、レーザ光に対する屈折率が１．４〜１．６の範囲の透明度の高い材料であり、耐衝撃性に優れた樹脂が望ましい。例えば、ポリカーボネート、アモルファスポリオレフィン、アクリル等が用い得る。基板１１及び２１は、原盤及びスタンパを作製し、射出成型により作製することが好ましい。
【００４７】
この例では、基板１１及び２１にポリカーボネート製の透光性基板を用い、基板１１及び２１の直径を１２０ｍｍ、厚さを０．６ｍｍとした。また、プリフォーマット領域１は半径２３．４０ｍｍ〜２３．９８ｍｍの領域に形成し、遷移領域２は半径２３．９８ｍｍ〜２４．００ｍｍの領域に遷移領域２を形成し、そして、情報記録領域３は、半径２４．００ｍｍ〜５８．００ｍｍの領域に形成した。
【００４８】
また、基板１１及び２１上のプリフォーマット領域１には、図３に示すように、トラックピッチ１．２μｍ、半値幅０．４μｍ及び深さ１７０ｎｍの所定のプリピット列１ａをスパイラル状に形成した。また、遷移領域２には、トラックピッチ０．５５μｍ、半値幅０．３５μｍ及び深さ１７０ｎｍのグルーブ２ａをスパイラル状に形成した。そして、情報記録領域３には、トラックピッチ０．７４μｍ、半値幅０．３２μｍ及び深さ１７０ｎｍのグルーブ３ａをスパイラル状に形成した。なお、この例では、遷移領域２のグルーブ２ａのトラックピッチは、後述する反射率及びジッター測定（実施例７）の際に用いたレーザ光（波長６５０ｎｍ、開口数０．６）のスポット径（約１．１μｍ）より小さくした。
【００４９】
記録層１２及び２３としては、照射されたレーザ光を吸収して発熱し、溶融、蒸発、昇華、変形または変性することにより、記録層自身あるいは基板の表面に記録ピットが形成される膜で形成することが好ましい。この例では、記録層１２及び２３を有機色素を含有する膜で形成した。この場合、記録層１２及び２３には、シアニン色素、ポリメチン色素、トリアリールメタン色素、ピリリウム色素、フェナンスレン色素、アゾ色素、テトラデヒドロコリン色素、トリアリールアミン色素、スクアリリウム色素、クロコニックメチン色素等の光吸収性の有機色素が含まれることが好ましい。また、記録層１２及び２３には、他の色素、添加剤、高分子（例えば、ニトロセルロース等の熱可塑性樹脂、熱可塑性エラストマー）等を含んでいても良い。
【００５０】
記録層１２及び２３は、上記の有機色素および任意の添加剤を公知の有機溶媒（例えば、テトラフルオロプロパノール、ケトンアルコール、アセチルアセトン、メチルセルロブ、トルエン等）で溶解・溶媒和したものを透光性基板上（なお、この例の記録層２３は反射層２２上）にスピン塗布などを施すことにより形成される。記録層１２及び２３をスピンコート法を用いて形成した場合には、色素溶液の濃度、粘度、溶剤の乾燥速度を調節することにより、記録層１２及び２３の膜厚を制御することができる。
【００５１】
また、この例の光ディスクへの情報記録は、記録層１２または２３にレーザ光を照射することにより行う。レーザ光の照射された部分には、レーザ光エネルギーの吸収による色素の分解、発熱、炭化、基板の溶融等の記録層の熱的変形が起こり、この熱的変形により情報が記録される。記録された情報の再生は、レーザ光を光ディスクに照射して、熱的変形が起きている部分と起きていない部分の反射率の差を読み取ることにより行う。
【００５２】
反射層１３及び２２としては、スパッタ法等の手段を用いて、例えば、金、銀、アルミニウムあるいはこれら元素を含む合金からなる金属膜で形成されることが好ましい。この例では、反射層１３及び２２をＡｇ膜で形成した。
【００５３】
界面層２４としては、光学的に吸収が少なく、化学的に安定であり且つ保護効果があるような膜で形成することが好ましい。例えば、界面層２４の形成材料としては、誘電体材料が好適であり、例えば、ＳｉＯ２、Ａｌ２Ｏ３、ＴｉＯ２、Ｔａ２Ｏ５などの酸化物、ＳｉＮ、ＡｌＮ、ＴｉＮなどの窒化物、または、ＺｎＳなどの硫化物などを用いることができる。この例では、界面層２４をＺｎＳ−ＳｉＯ２膜で形成した。
【００５４】
また、スペーサ層１４（接着層）としては、耐衝撃性の優れた樹脂によって形成されることが望ましい。例えば、紫外線硬化樹脂をスピンコート法により塗布し、紫外線を照射して硬化させることによりスペーサ層１４を形成することが好ましい。また、スペーサ層１４をウレタン等の弾性材で形成しても良い。この例では、スペーサ層１４を紫外線硬化樹脂で形成した。
【００５５】
なお、本発明の光ディスクでは、Ｌ０層の基板１１と記録層１２との間には、ＳｉＯ２、ＺｎＳ−ＳｉＯ２等の膜で形成されたエンハンス層や耐溶剤層を設けても良い。さらに、Ｌ０層の記録層１２と反射層１３との間、並びに、記録層２３と反射層２２との間に、ＳｉＯ２、ＺｎＳ−ＳｉＯ２、Ａｌ２Ｏ３等のエンハンス層や耐酸化層等を設けても良い。
【００５６】
次に、図１に示した光ディスク１０の作製方法について説明する。まず、基板１１にはポリカーボネート製の透光性基板を用い、基板１１は次のようにして作製した。基板１１に形成される所定の凹凸パターン（図３のピット列及び溝）に対応した形状の凹凸パターンが形成されたスタンパを既存の射出成形機に装着し、光記録媒体グレードのポリカーボネート樹脂を射出成形して基板１１を作製した。
【００５７】
次いで、上述のように射出成形により作製された基板１１の凹凸パターン上に、記録層１２として有機色素を含有する膜を次のようにして形成した。まず、下記化学式（１）で表わされるアゾ系色素１．３重量％の濃度を有するテトラフルオロプロパノール溶液を、基板１１上にスピンコート法により塗布した。なお、上記色素溶液を塗布する際に、色素溶液をフィルタで濾過して不純物を取り除いた。スピンコートは回転数１００ｒｐｍで回転している基板１１上に色素溶液０．５ｇをディスペンサーで供給し、その後、１０００ｒｐｍから３０００ｒｐｍまでの回転数で基板を回転させ、最後に回転数５０００ｒｐｍで２秒間回転させた。この際、記録層１２の厚さが１３０ｎｍとなるように上記溶液を塗布した。次いで、上記色素材料を塗布した基板１１を７０℃にて１時間乾燥させ、さらに、室温にて１時間冷却した。こうして、記録層１２を基板１１上に形成した。
【００５８】
【化１】
2007018610.tif 000003
【００５９】
次いで、記録層１２上に、反射層１３としてＡｇ膜をスパッタ法により形成した。反射層１３の膜厚は１５ｎｍとした。反射層１３の膜厚を薄くすることにより、基板１１側から照射されるレーザ光がＬ０層を透過して後述するＬ１層に到達するようにした。このようにして、この例の光ディスク１０におけるＬ０層を形成した。
【００６０】
次に、Ｌ１層を次のようにして形成した。まず、基板２１は、上述したＬ０層の基板１１と同様にして作製した。ただし、この例の光ディスクでは、図１に示すように、Ｌ０層には基板１１越しにレーザ光が照射されるのに対して、Ｌ１層にはレーザ光が膜面側から入射される。Ｌ１層の基板２１を形成する際には、Ｌ１層の基板２１上にはＬ０層の基板１１上に形成された凹凸パターンとは逆の凹凸パターンを有するプリフォーマット領域１、遷移領域２及び情報記録領域３を形成した。また、基板２１のスパイラルの方向も基板１１と逆方向とした。
【００６１】
次いで、基板２１上に、反射層２２としてＡｇ膜をスパッタ法により形成した。反射層２２の膜厚は１６０ｎｍとした。次いで、反射層２２上に、記録層２３を形成した。記録層２３は上述したＬ０層の記録層１２と同様にして形成した。記録層２３の膜厚も、Ｌ０層の記録層１２と同様に、１３０ｎｍとした。
【００６２】
次に、記録層２３を保護するために、記録層２３上に、界面層２４としてＺｎＳ−ＳｉＯ２膜をスパッタ法により形成した。界面層２４の膜厚は１０ｎｍとした。このようにして、この例の光ディスクにおけるＬ１層を形成した。
【００６３】
次に、上述のような方法で作製されたＬ０層及びＬ１層をスペーサ層１４を介して貼り合わせた。具体的には、次のようにして貼り合わせた。まず、Ｌ０層の反射層１３上に、スペーサ層１４としてＵＶ樹脂材料をスピンコート法により塗布した。次いで、スペーサ層１４の上にＬ１層を載置した。この際、図３に示すように、Ｌ０層の反射層１３とＬ１層の界面層２４がスペーサ層１４を挟んで対向するように、Ｌ１層をスペーサ層１４上に載置した。次に、Ｌ１層をスペーサ層１４上に載置した状態で、Ｌ０層の基板１１側からＵＶ照射を行い、スペーサ層１４のＵＶ樹脂材料を硬化させてＬ０層とＬ１層とを貼り合わせた。スペーサ層１４の厚さは５５μｍとした。なお、スペーサ層１４の厚さは５０〜５５μmが好適である。このようにして、この例の光ディスクを作製した。
【実施例２】
【００６４】
実施例２では、遷移領域に、トラックピッチ０．６μｍ、半値幅０．４μｍ、深さ１７０ｎｍのグルーブを形成した。遷移領域のグルーブパターンの寸法を変えたこと以外は、実施例１と同様の構造を有する光ディスクを作製した。また、この例の光ディスクは、実施例１と同様の方法で作製した。
【実施例３】
【００６５】
実施例３では、遷移領域に、トラックピッチ０．５μｍ、半値幅０．３μｍ、深さ１７０ｎｍのグルーブを形成した。遷移領域のグルーブパターンの寸法を変えたこと以外は、実施例１と同様の構造を有する光ディスクを作製した。また、この例の光ディスクは、実施例１と同様の方法で作製した。
【実施例４】
【００６６】
実施例４では、遷移領域に、トラックピッチ０．６μｍ、半値幅０．４５μｍ、深さ１７０ｎｍのグルーブを形成した。遷移領域のグルーブパターンの寸法を変えたこと以外は、実施例１と同様の構造を有する光ディスクを作製した。また、この例の光ディスクは、実施例１と同様の方法で作製した。
【実施例５】
【００６７】
実施例５では、遷移領域に、トラックピッチ０．５μｍ、半値幅０．２５μｍ、深さ１７０ｎｍのグルーブを形成した。遷移領域のグルーブパターンの寸法を変えたこと以外は、実施例１と同様の構造を有する光ディスクを作製した。また、この例の光ディスクは、実施例１と同様の方法で作製した。
【実施例６】
【００６８】
実施例６では、図４に示すように、遷移領域２には所定パターンのピット列２ｂを形成した。具体的には、遷移領域２には、マーク長５００ｎｍ、スペース長３００ｎｍの繰り返しパターンのピット列を形成し、トラックピッチ０．５５μｍ、半値幅０．３５μｍ及び深さ１７０ｎｍの形状でピットを形成した。遷移領域２の凹凸パターンをピット列で形成したこと以外は、実施例１と同様の構造を有する光ディスクを作製した。また、この例の光ディスクは、実施例１と同様の方法で作製した。なお、この例では、遷移領域２のピット列２ｂのトラックピッチ及びピットピッチを、後述する反射率及びジッター測定（実施例７）の際に用いたレーザ光（波長６５０ｎｍ、開口数０．６）のスポット径（約１．１μｍ）より小さくした。
【００６９】
［比較例］
比較例では、遷移領域２を凹凸パターンで形成せずに鏡面部とした。遷移領域２を鏡面部で形成したこと以外は、実施例１と同様の構造を有する光ディスクを作製した。また、この例の光ディスクは、実施例１と同様の方法で作製した。
【実施例７】
【００７０】
［反射率及びジッター測定］
次に、上記実施例１〜６及び比較例で作製した光ディスクのプリフォーマット領域１、遷移領域２及び情報記録領域３の各反射率を測定した。反射率測定には、波長６５０ｎｍのレーザ光及び開口数０．６の対物レンズを搭載した光ヘッドを備えた測定装置を用いた。また、Ｌ０層の情報記録領域３は未記録状態とした。なお、この測定における反射率は、光ヘッドを用いてレーザ光を光ディスクに照射して、光ディスクから反射して戻ってきた光を検出器で検出し、電気信号に変換された信号により規定した。
【００７１】
この例では、次のようにして各領域の反射率を測定した。まず、光ヘッドを用いて実施例１〜６及び比較例で作製した各光ディスクにレーザ光を照射する。この際、レーザ光の焦点をＬ０層に合わせた。ただし、レーザ光の焦点位置合わせ制御は行うが、トラッキングは行わない状態でレーザ光を照射する。また、この際、Ｌ０層の遷移領域２付近に光ヘッドを位置づけると、光ディスクの偏心により３つの領域（プリフォーマット領域１、遷移領域２及び情報記録領域３）にまたがる反射光に対応する信号を検出することができる。この信号は、通常クロストラック信号とも呼ばれており、例えば、図５（ｂ）に示すような波形の信号が得られる。この例では、図５（ｂ）に示すようなクロストラック信号から各領域の反射率の最大値及び最小値を求め、それらの中間値を平均反射率とした。
【００７２】
また、ここでは、Ｌ０層の遷移領域２の反射率の違いによるＬ１層の記録再生特性への影響を調べるために、Ｌ０層の遷移領域２近傍に位置するＬ１層の情報記録領域３と、Ｌ０層の遷移領域２から十分離れたＬ１層の情報記録領域におけるジッターを調べた。具体的には、図６に示すように、Ｌ０層の情報記録領域３の遷移領域２側の境界トラック位置に対応するＬ１層の情報記録領域３のトラック（図６中の情報記録領域Ａ）と、Ｌ１層の半径４５ｍｍのトラック（図６中の情報記録領域Ｂ）のジッターを調べた。
【００７３】
ジッター測定には、反射率測定と同様に、波長６５０ｎｍのレーザ光及び開口数０．６のレンズを搭載した光ヘッドを備えた測定装置を用いた。そして、Ｌ０層の遷移領域２の近傍に位置するＬ１層の情報記録領域３の領域Ａと、半径４５ｍｍの情報記録領域Ｂに３Ｔマーク長０．４μｍの８−１６信号を記録し、その記録信号の再生を行い各領域のジッターを調べた。なお、この例では、ジッター測定用の信号はＬ１層にのみ記録し、Ｌ０層の情報記録領域３は未記録状態とした。すなわち、図６に示すような照射状況でジッター測定を行った。
【００７４】
反射率測定及びジッター測定の結果を表１に示した。表１の反射率は、各光ディスクのＬ０層にレーザ光の焦点を合わせて測定した結果である。また、表１では、光ディスクの鏡面部における反射光信号を１として、各領域からの反射光信号を規格化して表示した。なお、実施例１〜６の光ディスクでは、プリフォーマット領域、遷移領域及び情報記録領域以外の領域で凹凸パターンが形成されていない平面部(鏡面部分)の反射率を鏡面部反射信号として規格化のために用いた。
【００７５】
【表１】
2007018610.tif 000004
【００７６】
また、この例では、Ｌ１層にレーザ光の焦点を合わせた場合（図７の場合）についても上述と同様の方法で反射率測定も行った。さらに、ジッター測定用の信号をＬ０層にのみ記録し、上述と同様の方法でジッター測定を行った。その結果、表２に示す。
【００７７】
【表２】
2007018610.tif 000005
【００７８】
そして、上記表１及び２に記載のｒ１／ｒ２及びｒ１’／ｒ２’（遷移領域の平均反射率／情報記録領域の未記録部分の平均反射率）と情報記録領域Ａのジッターとの関係を図１１に示した。図１１中の横軸には「遷移領域の平均反射率／情報記録領域の未記録部分の平均反射率」（ｒ１／ｒ２及びｒ１’／ｒ２’）をとり、縦軸には「情報記録領域Ａのジッター」をとった。
【００７９】
表１から明らかなように、光ディスクのＬ０層の遷移領域の近傍に位置するＬ１層の情報記録領域Ａにおけるジッター測定では、比較例で作製した光ディスク（Ｌ０層の遷移領域を鏡面部で形成した光ディスク）が最もジッターが大きくなった。すなわち、Ｌ０層の遷移領域に図３または図４に示したような所定の凹凸パターンを形成することにより、Ｌ０層の遷移領域の近傍に位置するＬ１層の情報記録領域Ａにおけるジッター特性が改善されることが分かった。同様に、表２から明らかなように、光ディスクのＬ１層の遷移領域の近傍に位置するＬ０層の情報記録領域Ａにおけるジッター測定では、比較例で作製した光ディスク（Ｌ１層の遷移領域を鏡面部で形成した光ディスク）が最もジッターが大きくなった。すなわち、Ｌ１層の遷移領域に図３または図４に示したような所定の凹凸パターンを形成することにより、Ｌ１層の遷移領域の近傍に位置するＬ０層の情報記録領域Ａにおけるジッター特性が改善されることが分かった。
【００８０】
また、図１１から明らかなように、遷移領域の平均反射率が情報記録領域の未記録領域の平均反射率の約０．７〜１．３倍となる光ディスクでは、一方の層（Ｌ０層またはＬ１層）の遷移領域の近傍に位置する他方の層の情報記録領域Ａにおけるジッターが８．５％（図１１中の破線）以下となり、よりジッター特性が向上することが分かった。なお、図１１から「遷移領域の平均反射率／情報記録領域の未記録領域の平均反射率」の好適な範囲を求める際に、ジッターの閾値を８．５％としたのは、信号検出窓幅に対するジッターが８．５％以下であれば、エラーレートを１０−５以下にすることができるためである。また、一方の層の遷移領域が鏡面部である場合（比較例）、他方の層のジッターが非常に上昇してしまう理由は、一方の層の遷移領域の反射率が高いため、他方の層に到達するレーザ光の実効的なエネルギーが低下してしまうためである。
【００８１】
また、表１及び２から明らかなように、一方の層の遷移領域２の凹凸パターンがグルーブ（例えば、実施例１）であっても、ピット列（実施例６）であっても、一方の層の遷移領域２の近傍に位置する他方の層の情報記録領域Ａでジッターが、一方の層の遷移領域２が鏡面部である場合（比較例）より小さくなり、ジッター特性が向上することが分かった。すなわち、遷移領域２の凹凸パターンの形状に関係無く、一方の層の遷移領域２の平均反射率が情報記録領域３の未記録領域の平均反射率の約０．７〜１．３倍となるように、一方の層の遷移領域２の凹凸パターンを形成することにより他方の層の情報記録領域３全体に渡って情報の記録再生特性が安定することが分かった。
【００８２】
また、各光ディスクの半径４５ｍｍの情報記録領域Ｂにおけるジッターは、表１及び２から明らかなように、全てほぼ同じ値が得られた。具体的には、再生信号の信号変調度は６１〜６３％であり、ジッターは６．９〜７．４％であり、情報記録領域Ｂでは信号の検出及び再生は安定して行うことができた。
【００８３】
なお、実施例６では遷移領域にプリピットを繰り返しパターンで形成した例を説明したが、遷移領域にプリピットでランダム信号等の種々の凹凸パターンを形成した場合にもジッターの上昇を抑制することが可能であった。ただし、この測定では、遷移領域のピット列のトラックピッチは実施例６と同じとした。すなわち、遷移領域のピット列のピット長をレーザ光のスポット径より大きくしてもジッターの上昇を抑制することが可能であった。この場合には、遷移領域のランダムなピット列の構造が、実施例１〜５における遷移領域のグルーブ状の凹凸パターンを分断した構造と同じ構造となるため、同様の良好な結果が得られたものと考えられる。
【００８４】
実施例１〜６では、遷移領域にグルーブまたはピットで凹凸パターンを形成した例を説明したが、本発明はこれに限定されない。遷移領域に形成される凹凸パターンとしては、遷移領域の平均反射率が情報記録領域３の未記録部分の平均反射率に対して約０．７〜１．３倍の大きさとなるような凹凸パターンであれば任意のパターンが用い得る。例えば、異なるトラックピッチのグルーブやピット列を混在させても良いし、同じトラックピッチのグルーブとピット列を混在させても良い。設計要素によって任意の複数のパターンを混在させることが可能である。
【００８５】
上記実施例１〜６では、貼り合せる２枚のディスク（図３中のＬ０層とＬ１層）の基板に形成された遷移領域の凹凸パターンがレーザ光の入射側から見て同じパターンとなるように形成した例を説明したが、本発明はこれに限定されない。２枚のディスク（図１中のＬ０層とＬ１層）の基板に形成された遷移領域の凹凸パターンがレーザ光の入射側から見て異なる凹凸パターンであっても良い。
【００８６】
上記実施例１〜６では、記録層に有機色素を用いた例を説明したが、本発明はこれに限定されない。記録層としては、Ｇｅ，Ｉｎ，Ｔｅ，Ｂｉ，Ｓｂ，Ｓｎ，Ｐｂ等の元素を主成分とする相変化材料や、Ｔｂ，Ｇｄ，Ｆｅ，Ｃｏ等の元素を主成分とする光磁気記録材料を用いても良い。
【００８７】
上記実施例１〜６では、片面２層構造の光ディスクを作製する際、２つの情報部（図３中のＬ０層とＬ１層）を個別に作製して、２つの情報部を貼り合せて作製したが、本発明はこれに限定されず、１枚の基板上に２つの記録層を順次積層して作製しても良い。また、さらに３層以上の記録層を積層した多層構造の光記録媒体に対しても本発明は有効である。
【００８８】
また、上記実施例１〜６では、２つの情報部（図３中のＬ０層とＬ１層）を作製する際に、それぞれ所定の凹凸パターンを有する基板を用意し、それらの基板上に記録層等を積層してＬ０層とＬ１層とを別個に作製した後、Ｌ０層とＬ１層とを貼り合わせた例を説明したが、本発明はこれに限定されない。例えば、次のような方法で、片面２層構造の光ディスクを作製しても良い。Ｌ０層を形成した後、具体的には、Ｌ０層の記録層、反射層等を形成した後、Ｌ０層表面に紫外線硬化樹脂を塗布する。次いで、紫外線硬化樹脂上に、Ｌ１層に形成する凹凸パターンとは逆の凹凸パターンが表面に形成されたスタンパを押圧する。その状態で紫外線を照射して紫外線硬化樹脂を硬化する。次いで、スタンパを剥離することにより、Ｌ１層に形成すべき凹凸パターンが表面に形成された紫外線硬化樹脂層をＬ０層上に形成することができる。このような方法はフォトポリマー法（２Ｐ法）と呼ばれる方法であり、この方法によりＬ１層の凹凸パターンを形成することができる。次いで、２Ｐ法により形成された紫外線硬化樹脂層上に、記録層及び反射層をこの順で形成することによりＬ１層が形成される。なお、必要に応じて反射層上に、保護層を形成しても良いし、保護板を貼り合せても良い。上述のような方法でも、本発明の片面２層構造の光ディスクを作製することができる。また、上述の２Ｐ法を繰り返すことにより、３つ以上の情報部を積層することができるので、このような方法は、３層以上の記録層を積層した多層構造の本発明の光記録媒体を作製する場合に有効である。
【００８９】
上記実施例１〜６では、本発明の光ディスクを構成する複数の情報部（Ｌ０層及びＬ１層）において、全てプリフォーマット領域、情報記録領域及び遷移領域を有し、且つ同じフォーマット構造を有する例について説明したが、本発明はこれに限定されない。少なくとも一つの情報部が本発明のフォーマット構造を有していれば良い。また、各情報部のフォーマット構造が互いに異なっていても良い。いずれの場合にも上記実施例１〜６と同様の効果が得られる。
【００９０】
また、上記実施例１〜６では、透明基板を介してレーザ光が入射されるタイプの光記録媒体の例を示したが、本発明はこれに限定されない、レーザ光を基板を介さずに記録層に入射して記録再生を行う、いわゆる、膜面入射型の光記録媒体に対しても本発明を適用可能であり、同様の効果が得られる。
【産業上の利用可能性】
【００９１】
本発明の光記録媒体では、遷移領域と情報記録領域との境界における反射率の変動を抑制することができるので、片面２層構造の光ディスクであっても情報記録領域の遷移領域近傍の領域で安定して情報の記録及び／又は再生を行うことができる。それゆえ、本発明の光記録媒体は、片面２層構造の光記録媒体として好適である。また、本発明の光記録媒体のフォーマット構造は、例えばＨＤ−ＤＶＤ等を２層構造にした大容量の光記録媒体にも適用可能であり、同様の効果が得られる。
【図面の簡単な説明】
【００９２】
【図１】図１は、実施例１で作製した光ディスクの概略断面図である。
【図２】図２は、実施例１で作製した光ディスクの概略平面図である。
【図３】図３は、実施例１で作製した光ディスクのプリフォーマット領域、遷移領域及び情報記録領域の凹凸パターンの構成を示す概略斜視図である。
【図４】図４は、実施例６で作製した光ディスクのプリフォーマット領域、遷移領域及び情報記録領域に形成された凹凸パターンの構成を示す概略斜視図である。
【図５】図５は、本発明の光ディスクのプリフォーマット領域、遷移領域及び情報記録領域に形成された凹凸パターンと反射率との関係を示した図であり、図５（ａ）は遷移領域近傍の径方向の概略断面図であり、図５（ｂ）は遷移領域近傍からのクロストラック信号である。
【図６】図６は、本発明の片面２層構造の光ディスクのＬ１層にレーザ光を照射した様子を示した図である。
【図７】図７は、本発明の片面２層構造の光ディスクのＬ０層にレーザ光を照射した様子を示した図である。
【図８】図８は、従来の光ディスクのプリフォーマット領域、遷移領域及び情報記録領域に形成された凹凸パターンと反射率との関係を示した図であり、図８（ａ）は遷移領域近傍の径方向の概略断面図であり、図８（ｂ）は遷移領域近傍からのクロストラック信号である。
【図９】図９は、従来の片面２層構造の光ディスクのＬ１層にレーザ光を照射した様子を示した図である。
【図１０】図１０は、従来の片面２層構造の光ディスクのＬ０層にレーザ光を照射した様子を示した図である。
【図１１】図１１は、実施例１〜６及び比較例で作製した光ディスクの一方の層の遷移領域の平均反射率／情報記録領域の平均反射率と他方の層の情報記録領域のジッターとの関係を示した図である。
【符号の説明】
【００９３】
１  プリフォーマット領域
２  遷移領域
３  情報記録領域
１０  光ディスク
【図１】
2007018610.tif 000006
【図２】
2007018610.tif 000007
【図３】
2007018610.tif 000008
【図４】
2007018610.tif 000009
【図５】
2007018610.tif 000010
【図６】
2007018610.tif 000011
【図７】
2007018610.tif 000012
【図８】
2007018610.tif 000013
【図９】
2007018610.tif 000014
【図１０】
2007018610.tif 000015
【図１１】
2007018610.tif 000016